(57)【特許請求の範囲】
【請求項１】
流入口の近傍のバルブ取り付け部に凹部または凸部を設けた第１のハウジング部材と流出口を有する第２のハウジング部材と、取り付け部に凸部又は凹部を設けたバルブとを備え、前記バルブに設けられた凸部を第１のバルブハウジング部材の前記流入口近傍に設けられた凹部にあるいは前記バルブに設けられた凹部に前記流入口近傍に設けられた凸部を嵌合させて固定した逆止弁であって、前記バルブが更にリブを有し、前記第２のハウジングがバルブ押えを有し、前記バルブ押えにより前記リブを押圧することにより前記バルブを固定することを特徴とする逆止弁。
【発明の詳細な説明】
【０００１】
【発明の属する技術分野】
本発明は、ポンプその他の機構において用いられる逆止弁に関するものである。
【０００２】
【従来の技術】
従来の逆止弁として、例えばアンブレラー弁、リーフ弁等が知られている。そのうち例えばアンブレラー弁は、その概要を述べると図７に示すような構成で、３１はアンブレラー弁、３２は弁取り付け板、３３は流入口３３ａを有する第１のハウジング部材、３４は流出口３４ａを有する第２のハウジング部材で、アンブレラー弁３１をその取り付け部３１を弁取り付け板３２の取り付け孔３２ｂに圧入または引き込むことにより固定した上で、第１のハウジング部材３３と第２のハウジング部材３４とを組み合わせて固定する。これにより、流入口より流入する流体は、弁取り付け板３２の孔３２ａよりアンブレラー弁３１の弁の作用をする部分３１ａを開いて第２のハウジング部材３４の流出口より流れる。しかし逆方向の流出口３４ａからの流体は、弁が閉じるため流れず逆止弁となる。
【０００３】
これら逆止弁は、前述のように弁に設けられた取り付け部を弁取り付け板（バルブハウジング）に形成されている取付孔に圧入する等の手段にて行なわれているため弁を取り付けた部分の気密性が不十分であり、気密性を保つための新たな構成が必要となり又取り付け後の安定性や十分な耐久性等の問題がある。また、弁取り付け板３２の両端部の気密性も十分ではなく、Ｏリング等によるシールが必要になる。その結果、部品点数も大になり好ましくない。
【０００４】
【発明が解決しようとする課題】
本発明は、簡単な構造でしかも気密性が高く、取り付けが容易であって、取り付け後の安定性が高くしたがって耐久性の点でも好ましい逆止弁を提供する。
【０００５】
【課題を解決するための手段】
本発明の逆止弁は、流入口の近傍のバルブ取り付け部に凹部又は凸部を設け、一方バルブの弁としての作用をする開閉可能な部分以外の取り付け部に凸部又は凹部を設け、バルブに設けられた凸部を流入口近傍に設けられた凹部にあるいはバルブに設けられた凸部に流入口近傍に設けられた凹部を嵌合させてバルブを固定するようにしたものである。
【０００６】
又、本発明の逆止弁は、バルブの凹部または凸部に流入口近傍のバルブ取り付け部の凸部または凹部に嵌合した上でバルブ側より弁押えにより押えてバルブを固定するものである。
【０００７】
また本発明の逆止弁は、バルブの取り付け部にリブ等の肉厚部分を形成し、この肉厚の部分をバルブ押えにより押えるようにしたことを特徴としている。
【０００８】
【発明の実施の形態】
次に本発明の逆止弁の実施の形態を述べる。
【０００９】
図１は本発明の逆止弁の第１の参考例を示す図で、この図において、１はバルブ、２はバルブハウジングである。このバルブハウジング２は流体が流入する流入口３ａと弁取り付け用凸部３ｂを有し第１のハウジング部材３と流出口４ａと弁押え用凸部４ｂとを有する第２のハウジング部材４とよりなり、これら第１のハウジング部材３と第２のハウジング部材４とを図１に示すように組み合わせて気密に固定してバルブハウジング２を構成する。つまり、第１のハウジング部材３のバルブ取り付け凸部３ｂにバルブ１の凹部１ｂを挿入、嵌合してバルブ１を取り付け、更に第２のハウジング部材４を図示するように組み合わせ固定する。これによりバルブ１は第１のハウジング部材３の凸部３ｂをバルブ１の凹部１ｂに挿入すると共に第２のハウジング部材４の凸部４ｂにて押えることにより固定保持する。ここで、第１のハウジング３と第２のハウジング４とを固定する際、溶着等により両者を接合すれば十分な気密性を保つことができる。
【００１０】
この逆止弁は、流入口３ａより流体が流入した時、バルブ１は開かれ流出口４ａより流出する。また、流出口４ａより流体が流入しようとした時は弁は閉じたままで流れが阻止される。つまり、流体は、流入口側から流出口側へ流れ、流出口側から流入口側へは流れない。そしてバルブ１は、第１のハウジング部材３の凸部３ｂと第２のハウジング部材４のバルブ押え４ｂとにより挟まれて確実に保持され正確なバルブとしての作用が行なわれる。
【００１１】
また、バルブ１はバルブハウジング２内に配置されており、バルブハウジング２は二つのハウジング部材を組み合わせ形成されるため、組立等が比較的簡単であり、またハウジングを十分な気密性をもって固定することにより、逆止弁自体十分な気密性を有する。
【００１２】
図２の（Ａ）は、本発明の逆止弁の第２の参考例を示す図である。
【００１３】
この第２の参考例の逆止弁は、基本構成は、図１に示す第１の参考例と同じであるが、図２の（Ａ）に示すように、バルブ１の保持部分１ｃが逆向き（下方に凸）の形状であり、それにより、第１のハウジング部材３のバルブ取り付け部３ｃが保持部分１ｃを嵌合する凹部３ｃである点で相違する。また第２のハウジング部材４には、図１の第１の参考例と同様にバルブ押え４ｃが形成されている。
【００１４】
これにより、第１の参考例の逆止弁と同様に、第１のハウジング部材３のバルブ取り付け部（凹部）３ｃにバルブ１の保持部１ｃを嵌合させ、更に第２のハウジング部材４のバルブ押え４ｃにより押えることにより、バルブ１の位置決めと正確な保持とを可能にしている。しかも第１、第２のハウジング部材３、４を組み合わせてその接合部分を接着や溶着等の手段にて気密に固定してバルブハウジング２を形成することによりバルブの完全な気密性も得られる。
【００１５】
また、図２の（Ｂ）は第１の実施の形態で、バルブ１の取り付け部にリブ１ｄを設け、このリブ１ｄを第２のハウジング部材のバルブ押えにより押えることによってバルブを保持するようにした。
【００１６】
図３は本発明の第２の実施の形態を示すものであって、図１に示す構成のバルブ１にリブ１ｄを形成し、第２のハウジング４のうちのバルブ１のリブ１ｄと相対する位置に弁押え用凸部４ｂを形成しこの凸部４ｂによりリブ１ｄを押えて弁１を固定するようにしたものである。
【００１７】
この本発明の第２の実施の形態は、第１の参考例に示す構成の逆止弁において弁を設ける部分の構造上の関係から、第１のハウジングに設ける弁取り付け用凸部と第２のハウジングに設ける弁押え用凸部とをほぼ同一線上の相対する位置に形成し得ない場合に利用し得る変形例である。
【００１９】
前記のような構成の本発明の逆止弁は、流入口および流出口に夫々パイプ等の流体の流路をなす部材を接続する等の方法にて使用されるが、その他次のような箇所での使用も可能である。
【００２０】
その一例として、図４に示すようなダイヤフラムポンプ等のポンプで用いられる逆止弁として用いられる。
【００２１】
この図４に示す、本発明の逆止弁を用いたダイヤフラムポンプについて述べる。図４において１１はモータ、１２はモータ１１の出力軸、１３は出力軸１２に固定されているクランク台、１４はクランク台１３に出力軸１２に対し傾斜させて固定されている駆動軸、１６は駆動体で、その軸受部１６ａに駆動軸１４が挿入されることにより駆動軸１４に回動可能に取り付けられている。１７は通気孔１７ａを有するケース、１８はシリンダー部、１９はバルブハウジング、２０は集気体、２１はシリンダー部１８とバルブハウジングとにて保持されているダイヤフラム部２１ａを有するダイヤフラム本体、２２はポンプ室、２３はバルブハウジング１９に取り付けられている吐出弁、２４は吐出口である。そしてケース１７、シリンダー部１８、バルブハウジング１９、集気体２０をシリンダー部１８とバルブハウジング１９とによりダイヤフラム本体２１を挟み、また吐出弁２３をバルブハウジング１９に取り付け、またこれと集気体とにて挟み図４に示すように組み立てたものである。
【００２２】
この図４に示すダイヤフラムポンプで用いられている吐出弁２３として本発明の逆止弁が用いられている。つまり図３の（Ａ）の逆止弁と基本的に同じものが用いられている。それは、バルブハウジング１９に形成されている凸部１９ｂに吐出弁２３の凹部２３ｂを嵌合して吐出弁２３のリブ２３ｃを集気体２０の環状凸部２０ａにて押えて固定する。
【００２３】
このように、図４に示すダイヤフラムポンプは、吐出弁として図３の（Ａ）に示す本発明の逆止弁と実質上同じ構成の逆止弁が用いられている。
【００２４】
以上述べたダイヤフラムポンプは、弁の位置と吐出口の位置がずれた構成であり、図１等の逆止弁のように弁の位置と吐出口（流出口）とが同一軸線にあるものとは異なっている。そのためバルブの保持部の取り付け用凸部とバルブ押えの位置をポンプの構成に応じた適切な位置に設定することが望ましい。またそれによりバルブの形状、構成や、ハウジング部のバルブ取り付け凹部または凸部やバルブ押えの位置や形状等は適宜設定することが好ましく、そのためには、前記実施の形態の逆止弁のうちのいずれか又はそれを基本として変形を行なったものを逆止弁とすることが好ましい。
【００２５】
また、図４に示すダイヤフラムポンプは、一つのポンプ室を有するダイヤフラムポンプであるが、複数のポンプ室を有するダイヤフラムポンプに本発明の逆止弁を用いる場合、一つの逆止弁であって、バルブに複数の弁の作用を持たせる必要がある。
【００２６】
次に、三つのポンプ室を有するダイヤフラムポンプを例に、このような複数のポンプ室を有するダイヤフラムポンプに適した本発明の逆止弁について述べる。
【００２７】
三つのダイヤフラム部（ポンプ室）を備えたダイヤフラムポンプは、図５に示すような三つのダイヤフラム部２１ａを有するダイヤフラム本体２１が用いられている。このようなダイヤフラムポンプに使用し得る本発明の逆止弁のバルブ部分を図６に示す。
【００２８】
この図６に示す弁のうち、（Ａ）が図３（Ａ）に対応するもので、この（Ａ）の逆止弁を三つのポンプ室を有するダイヤフラムポンプに適用する場合について述べる。この図のうち、２３ａが薄肉の弁の作用を行なう部分で、各ダイヤフラム部に対応する位置にこの薄肉の部分があり、又中央には凹部２３ｂが、更にこの中央の凸部２３ｂより周辺に向けて伸びる三つのリブ２３ｃが形成されている。そして、図４に示すダイヤフラムポンプの逆止弁（吐出弁）２３と全く同様の方法にて図３の（Ａ）に示す逆止弁をポンプ中に取り付け固定することができる。つまり、図３（Ａ）の逆止弁２３の凹部２３ｂをバルブハウジング１９の凸部１９ｂに嵌合し、又集気体２０を固定することにより集気体２０の環状の凸部２０ａにより逆止弁２３のリブ２３ｃを押えて逆止弁２３を確実に固定する。
【００２９】
この図６（Ａ）に示す逆止弁２３を用いたダイヤフラムポンプは、三つのダイヤフラム部２１の交互のポンプ作用により、対応する逆止弁の三つの薄肉の弁の部分２３ａが交互に開閉してポンプ作用が行なわれる。
【００３０】
以上述べたように、本発明の図６の（Ａ）の逆止弁を、複数の（三つの）ポンプ室を有するダイヤフラムポンプに適用できる。
【００３１】
図６の（Ｂ）、（Ｃ）は、夫々（Ａ）の変形例であって、図６（Ｂ）は図２の（Ｃ）のように弁に取り付け用の凸部２３ｄを設けたものであり、図６（Ｃ）は同様に弁に取り付け用凸部を設けたもので更に弁の作用を行なう部分三つを図６（Ｃ）の符号２３ｅに示す部分のように夫々切り離した構成であり、これら図６の（Ｂ）、（Ｃ）も同様に複数のポンプ室を有するダイヤフラムポンプに適用し得る。
【００３２】
本発明の逆止弁は、バルブの弁作用を行なう部分以外の取り付け部に凹部または凸部とバルブを配置する流入口近傍に設けた凸部または凹部を嵌合させることを基本とし、これによりバルブの弁作用を行なう部分の正確な位置決めをした上でバルブを配置し、これをバルブ押えにより固定したもので、図１、図４等に記載する参考例や実施の形態は一例である。つまりバルブを設ける箇所の構造によりバルブ等に設ける凹部や凸部の位置等は適宜選択すればよく特にバルブ押えの形状やそれを設ける部材等も任意に選択しうる。
【００３３】
【発明の効果】
本発明の逆止弁は、組み立て固定が比較的簡単で、しかも確実に固定し得ると共に十分な気密性を保ち得る。またダイヤフラムポンプ等のポンプにも使用可能であり、しかも同様に気密性等の効果を有する。
【図面の簡単な説明】
【図１】  本発明の第１の参考例の逆止弁の構成を示す図
【図２】  （Ａ）本発明の第２の参考例のバルブ部分の構成を示す図
【図２】  （Ｂ）本発明の第１の実施の形態のバルブ部分の構成を示す図
【図３】  本発明の第２の実施の形態のバルブ部分の構成を示す図
【図４】  本発明の逆止弁を吐出弁として用いたダイヤフラムポンプの構成を示す図
【図５】  三つのポンプ室を有するダイヤフラムポンプのポンプ室を形成するダイヤフラム本体の平面図
【図６】  本発明の逆止弁を三つのポンプ室を有するダイヤフラムポンプの吐出弁として用いる際のバルブの形状を示す図
【図７】  従来のアンブレラー弁を示す図
【符号の説明】
１      バルブ
２      バルブハウジング
３      第１のハウジング部材
４      第２のハウジング部材
【図１】
0004318133.tif 000002
【図２】
0004318133.tif 000003
【図３】
0004318133.tif 000004
【図４】
0004318133.tif 000005
【図５】
0004318133.tif 000006
【図６】
0004318133.tif 000007
【図７】
0004318133.tif 000008